(57)【要約】【課題】  一眼レフデジタルカメラにおいて、暗いレンズを装着し、位相差ＡＦができない場合にも、ＡＦを可能にすることを目的とする。【解決手段】  暗いレンズを装着し、位相差オートフォーカスができない場合には、ライブビューモードに入り、撮像面オートフォーカスでオートフォーカスを行い、自動でピントがあった撮影をする。【選択図】  図１
2009300963.tif 000002
【特許請求の範囲】
【請求項１】
一眼レフデジタルスチルカメラに接続されたレンズと通信し、Ｆ値と設定されたフォーカスモードを取得する手段と、レンズが暗いレンズであった場合には、該取得したオートフォーカスモードがオートフォーカスモードであるかどうか判断し、オートフォーカスモードだった場合には表示部に警告を表示する手段を有することを特徴とする一眼レフデジタルスチルカメラ。
【請求項２】
請求項１に記載の一眼レフデジタルスチルカメラにおいて、該警告を受け一眼レフデジタルスチルカメラを使用するユーザーがオートフォーカスしたい場合には、ライブビューを起動し撮像面オートフォーカスによりオートフォーカスを行うことを特徴とする一眼レフデジタルスチルカメラ。
【発明の詳細な説明】
【技術分野】
【０００１】
この発明は、一眼レフタイプのデジタルスチルカメラに関する。
【背景技術】
【０００２】
一眼レフタイプのデジタルスチルカメラにおいては、一眼レフタイプの銀塩フィルムを使用するカメラ（以下銀塩カメラと略称する）のフィルム装填部分にＣＣＤ等の撮像素子を取り付けてデジタルスチルカメラとしているものが多い。このようなデジタルスチルカメラでは、撮像レンズを通った光をセパレータレンズで分離して、それらの像間の距離をもとにレンズ移動量を求めて合焦を行う位相差オートフォーカス方式により合焦を行っている。
【０００３】
上記の例として、下記特許文献１をあげることが出来る。
【特許文献１】特開2003-101827号公報
【発明の開示】
【発明が解決しようとする課題】
【０００４】
しかしながら、一眼レフタイプのデジタルスチルカメラに暗いレンズ（Ｆ値が８．０以上）のレンズが装着された場合には、位相差オートフォーカスができず、自動でピントがあった撮影ができないという問題があった。
【課題を解決するための手段】
【０００５】
位相差オートフォーカスができない場合には、ライブビューモードに入り、撮像面オートフォーカスでオートフォーカスを行い、自動でピントがあった撮影をする。
【発明の効果】
【０００６】
以上説明したように、一眼レフタイプのデジタルスチルカメラにおいて暗いレンズが装着され、レンズのフォーカスモードがオートフォーカスに設定されていた場合にも、ライブビューの撮像面オートフォーカスによりオートフォーカスを行うことにより、自動でオートフォーカスを行うことを可能にし、ユーザーにとって使いやすい一眼レフタイプのデジタルスチルカメラを提供することが可能になる。
【発明を実施するための最良の形態】
【０００７】
次に、本発明の詳細を実施例の記述に従って説明する。
【実施例１】
【０００８】
まず、図１を用い、本実施例に係る一眼レフタイプのデジタルスチルカメラについて説明する。
【０００９】
図1において、２９０１２は撮像素子２９０１４への露光量を制御するためのメカシャッター、２９０１４は光学像を電気信号に変換する撮像素子である。
【００１０】
レンズ２９３１０に入射した光線は、一眼レフ方式によって、絞り２９３１２、レンズマウント２９３０６及び２９１０６、ミラー２９１３０、メカシャッター２９０１２を介して導き、光学像として撮像素子２９０１４上に結像することが出来る。ここでレンズ２９３１０の設定がマニュアルフォーカスモード（ＭＦ）でなく、オートフォーカスモード（ＡＦ）であった場合には、そのフォーカスモードとＦ値（レンズの明るさ）を一眼レフデジタルスチルカメラ本体に通信し、Ｆ値が８．０よりも小さければ一眼レフデジタルスチルカメラはオートフォーカスを行う。しかし、Ｆ値が８．０以上だったならば一眼レフデジタルスチルカメラはオートフォーカスを行うことができない。
【００１１】
２９０１６は撮像素子２９０１４のアナログ信号出力をデジタル信号に変換するＡ／Ｄ変換器である。
【００１２】
２９０１８は撮像素子２９０１４へ電子シャッター制御信号やクロック信号、Ａ／Ｄ変換器２９０１６に制御信号やクロック信号を供給するタイミング発生部であり、メモリ制御部２９０２２及びデジタル部システム制御部２９０５１により制御される。
【００１３】
２９０５１はデジタルカメラ１０２のデジタル部を制御するデジタル部システム制御部であり、カメラ部システム制御部２９０５０と相互に通信可能である。
【００１４】
このデジタル部システム制御部２９０５１は、画像表示部のデータ表示を制御し、カメラ部システム制御部２９０５０から測光タイマ中か否かを通知を受けてその状態をＲＡＭ２９０３０に記憶し、また画像処理部２９０２０から画像処理中か否かを通知を受けてその状態をＲＡＭ２９０３０に記憶し、さらに画像表示部がデータ表示中か否かをＲＡＭ２９０３０に記憶する。
【００１５】
２９０２０は画像処理部であり、 Ａ／Ｄ変換器２９０１６からのデータ或いはメモリ制御部２９０２２からのデータに対して所定の画素補間処理や色変換処理を行い、また画像処理中かどうかをデジタル部システム制御部に通知する。
【００１６】
また、画像処理部２９０２０においては、必要に応じて、撮像した画像データを用いて所定の演算処理を行い、得られた演算結果に基づいてシステム制御部２９０５０が露光制御手段２９０４０、測距制御手段２９０４２に対して制御を行う、撮像面オートフォーカス処理、AE（自動露出）処理、ＥＦ（フラッシュ調光）処理を行うことが出来る。またこの画像処理部２９０２０はライブビューモードに設定された場合には、撮像素子２９０１４に撮像された画像データをリアルタイムに画像表示部２９０２８に表示させる。
【００１７】
さらに、画像処理部２９０２０においては、撮像した画像データを用いて所定の演算処理を行い、得られた演算結果に基づいてTTL方式のAWB（オートホワイトバランス）処理も行っている。
【００１８】
２９０２２はメモリ制御部であり、Ａ／Ｄ変換器１６、タイミング発生部２９０１８、画像処理部２９０２０、ＲＡＭ２９０３０、圧縮・伸長部２９０３２を制御する。
【００１９】
Ａ／Ｄ変換器２９０１６のデータが画像処理部２９０２０、メモリ制御部２９０２２を介して、或いはＡ／Ｄ変換器２９０１６のデータが直接メモリ制御部２９０２２を介して、ＲＡＭ２９０３０に書き込まれる。
【００２０】
２９０２８はTFT LCD等から成る画像表示部（Ｖｉｄｅｏコントローラを含む）であり、メニュー、撮影画像データ等を表示する。またレンズ２９３１０のフォーカスモードがオートフォーカスに設定されていて、Ｆ８．０以上の暗いレンズが装着された場合には、一眼レフデジタルカメラを使用するユーザーにＡＦを行いたいかどうかこの画像表示部２９０２８に表示させる。
【００２１】
また、画像表示部２９０２８は、デジタル部システム制御部２９０５１の指示により任意に表示をON/OFFすることが可能であり、表示をOFFにした場合にはデジタルカメラ１０１の電力消費を大幅に低減することが出来る。
【００２２】
２９０３０は撮影した静止画像や動画像を格納するためのＲＡＭであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みを記憶部に対して行うことが可能となる。
【００２３】
また、撮影された画像画像データあるいは記録部から呼び出された画像データはデジタル部システム制御部２９０５１の制御下で当該メモリに格納される。このＲＡＭ２９０３０の一部は本実施形態におけるキャッシュ領域として使用される。
【００２４】
さらに、ＲＡＭ２９０３０はシステム制御部２９０５０の作業領域としても使用することが可能である。
【００２５】
２９０３２は適応離散コサイン変換（ＡＤＣＴ）等により画像データを圧縮伸長する圧縮・伸長部であり、ＲＡＭ２９０３０に格納された画像を読み込んで圧縮処理或いは伸長処理を行い、処理を終えたデータをＲＡＭ２９０３０に書き込む。
【００２６】
２９０４０は測光手段２９０４６からの測光情報に基づいて、絞り２９３１２を制御する絞り制御手段２９３４０と連携しながら、メカシャッター２９０１２を制御するメカシャッター制御手段である。
【００２７】
２９０４２はAF（オートフォーカス）処理を行うための測距手段であり、レンズ２９３１０に入射した光線を、一眼レフ方式によって、絞り２９３１２、レンズマウント２９３０６及び２９１０６、ミラー２９１３０そして不図示の測距用サブミラーを介して、測距手段２９０４２に入射させることにより、光学像として結像された画像の合焦状態を測定することが出来る。
【００２８】
２９０４６はAE（自動露出）処理を行うための測光手段であり、レンズ２９３１０に入射した光線を、一眼レフ方式によって、絞り２９３１２、レンズマウント２９３０６及び２９１０６、ミラー２９１３０及び２９１３２そして不図示の測光用レンズを介して、測光手段２９０４６に入射させることにより、光学像として結像された画像の露出状態を測定することが出来る。
【００２９】
また、測光手段２９０４６は、フラッシュ２９０４８と連携することによりEF（フラッシュ調光）処理機能も有するものである。
【００３０】
２９０４８はフラッシュであり、AF補助光の投光機能、フラッシュ調光機能も有する。
【００３１】
なお、撮像素子２９０１４によって撮像した画像データを画像処理部２９０２０によって演算した演算結果に基づき、システム制御部２９０５０がメカシャッター制御手段２９０４０、絞り制御手段２９３４０、測距制御手段２９３４２に対して制御を行う、ビデオTTL方式を用いて露出制御及びAF（オートフォーカス）制御をすることも可能である。
【００３２】
２９０５０はデジタルカメラ１０１のカメラ部を制御し、また測光タイマ動作中かどうかをデジタル部システム制御部に通知するカメラ部システム制御部である。
【００３３】
２９０５２はカメラ部システム制御部２９０５０の動作用の定数、変数、プログラム等を記憶するメモリである。
【００３４】
２９０５４はカメラ部システム制御部２９０５０でのプログラムの実行に応じて、文字、画像、音声等を用いて動作状態やメッセージ等を表示する液晶表示装置、スピーカー等の表示部であり、デジタルカメラ１０1の操作部近辺の視認し易い位置に単数或いは複数個所設置され、例えばLCDやLED、発音素子等の組み合わせにより構成されている。
【００３５】
また、表示部２９０５４は、その一部の機能が光学ファインダ２９０１０４内に設置されている。
【００３６】
表示部２９０５４の表示内容のうち、LCD等に表示するものとしては、例えば、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２９２００及び２９２１０の着脱状態表示、レンズユニット２９３００の着脱状態表示、通信I/F動作表示、日付け・時刻表示、外部コンピュータとの接続状態を示す表示、等がある。
【００３７】
また、表示部２９０５４の表示内容のうち、光学ファインダ２９１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００３８】
さらに、表示部２９０５４の表示内容のうち、LED等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００３９】
そして、表示部２９０５４の表示内容のうち、ランプ等に表示するものとしては、例えば、セルフタイマー通知ランプ、等がある。このセルフタイマー通知ランプは、AF補助光と共用して用いても良い。
【００４０】
２９０５６は電気的に消去・記録可能な不揮発性メモリであり、例えばEEPROM等が用いられる。
【００４１】
２９０６０、２９０６２、２９０６４、２９０６６、２９０６８及び２９０７０は、システム制御部２９０５０の各種の動作指示を入力するための操作手段であり、スイッチやダイアル、タッチパネル、視線検知によるポインティング、音声認識装置等の単数或いは複数の組み合わせで構成される。
【００４２】
２９０６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することが出来る。
【００４３】
２９０６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュ調光）処理等の動作開始を指示する。
【００４４】
２９０６４はシャッタースイッチSW2で、不図示のシャッターボタンの操作完了でONとなり、撮像素子２９０１４から読み出した信号をＡ／Ｄ変換器２９０１６、メモリ制御部２９０２２を介してＲＡＭ２９０３０に画像データを書き込む露光処理、画像処理部２９０２０やメモリ制御部２９０２２での演算を用いた現像処理、ＲＡＭ２９０３０から画像データを読み出し、圧縮・伸長部２９０３２で圧縮を行い、記録媒体２９２００或いは２９２１０に画像データを書き込む記録処理という一連の処理の動作開始を指示する。
【００４５】
２９０６６は再生スイッチで、撮影モード状態において、撮影した画像をＲＡＭ２９０３０或いは記録媒体２９２００或いは２９２１０から読み出して画像表示部２９０２８によって表示する再生動作の開始を指示する。
【００４６】
２９０６８は単写/連写スイッチで、シャッタースイッチSW2を押した場合に１駒の撮影を行って待機状態とする単写モードと、シャッタースイッチSW2を押している間は連続して撮影を行い続ける連写モードとを設定することが出来る。本特許はこのスイッチが連写モード時の画像転送処理に関するものである。
【００４７】
２９０７０は各種ボタンやタッチパネル等からなる操作部で、メニューボタン、ライブビューを開始するセットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、パノラマモード等の撮影及び再生を実行する際に各種機能の選択及び切り替えを設定する選択/切り替えボタン、パノラマモード等の撮影及び再生を実行する際に各種機能の決定及び実行を設定する決定/実行ボタン、画像表示部２９０２８のON/OFFを設定する画像表示ON/OFFスイッチ、撮影直後に撮影した画像データを自動再生するクイックレビュー機能を設定するクイックレビューON/OFFスイッチ、JPEG圧縮の圧縮率を選択するため或いは撮像素子の信号をそのままデジタル化して記録媒体に記録するCCDRAWモードを選択するためのスイッチである圧縮モードスイッチ、再生モード、マルチ画面再生・消去モード、PC接続モード等の各機能モードを設定することが出来る再生スイッチ、シャッタースイッチSW1を押したならばオートフォーカス動作を開始し一旦合焦したならばその合焦状態を保ち続けるワンショットAFモードとシャッタースイッチSW1を押している間は連続してオートフォーカス動作を続けるサーボAFモードとを設定することが出来るAFモード設定スイッチ等がある。
【００４８】
また、上記プラスボタン及びマイナスボタンの各機能は、回転ダイアルスイッチを備えることによって、より軽快に数値や機能を選択することが可能となる。
【００４９】
２９０７２は電源スイッチで、デジタルカメラ１０１の電源オン、電源オフの各モードを切り替え設定することが出来る。また、デジタルカメラ１０１に接続されたレンズユニット２９３００、外部ストロボ、記録媒体２９２００、２９２１０等の各種付属装置の電源オン、電源オフの設定も合わせて切り替え設定することが出来る。
【００５０】
２９０８０は電源制御手段で、電池検出回路、DC-DCコンバータ、通電するブロックを切り替えるスイッチ回路等により構成されており、電池の装着の有無、電池の種類、電池残量の検出を行い、検出結果及びカメラ部システム制御部２９０５０の指示に基づいてDC-DCコンバータを制御し、必要な電圧を必要な期間、記録媒体を含む各部へ供給する。
【００５１】
２９０８２はコネクタ、２９０８４はコネクタ、２９０８６はアルカリ電池やリチウム電池等の一次電池やNiCd電池やNiMH電池、Li電池等の二次電池、ACアダプター等からなる電源手段である。
【００５２】
２９０９０及び２９０９４はメモリカードやハードディスク等の記録媒体とのインターフェース、２９０９２及び２９０９６はメモリカードやハードディスク等の記録媒体と接続を行うコネクタ、２９０９８はコネクタ２９０９２及び或いは２９０９６に記録媒体２９２００或いは２９２１０が装着されているか否かを検知する記録媒体着脱検知手段である。
【００５３】
なお、本実施例では記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５４】
インターフェース及びコネクタとしては、PCMCIAカードやCF（コンパクトフラッシュ（登録商標））カード等の規格に準拠したものを用いて構成して構わない。
【００５５】
さらに、インターフェース２９０９０及び２９０９４、そしてコネクタ２９０９２及び２９０９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５６】
２９１０４は光学ファインダであり、レンズ２９３１０に入射した光線を、一眼レフ方式によって、絞り２９３１２、レンズマウント２９３０６及び２９１０６、ミラー２９１３０及び２９１３２を介して導き、光学像として結像表示することが出来る。これにより、画像表示部２９０２８による電子ファインダ機能を使用すること無しに、光学ファインダ２９１０４のみを用いて撮影を行うことが可能である。また、光学ファインダ２９１０４内には、表示部２９０５４の一部の機能、例えば、合焦表示、手振れ警告表示、フラッシュ充電表示、シャッタースピード表示、絞り値表示、露出補正表示などが設置されている。
【００５７】
２９１１０はデジタルカメラ１０１をＰＣ１０２と接続するための通信部である。実際には通信部はIEEE1394からなる。カメラはＲＡＭ２９０３０やＲＯＭおよび記録部に格納された情報を、通信部２９１１０を介してＰＣ１０２に送信、あるいは逆に各種情報を受信するために用いられる。特に撮影データや画像データの送受信を行うために用いられる。
【００５８】
またこの通信部はRS232CやUSB、USB2、P1284、SCSI、モデム、LAN、無線通信等の各種通信手段により構成してもよい。
【００５９】
２９１１２は通信手段２９１１０によりデジタルカメラ１０１を他の機器と接続するコネクタ或いは無線通信の場合はアンテナである。
【００６０】
２９１２０は、レンズマウント２９１０６内において、デジタルカメラ１０１をレンズユニット２９３００と接続するためのインターフェース、２９１２２はデジタルカメラ１０１をレンズユニット２９３００と電気的に接続するコネクタ、２９１２４はレンズマウント２９１０６及び或いはコネクタ２９１２２にレンズユニット２９３００が装着されているか否かを検知するレンズ着脱検知手段である。
【００６１】
コネクタ２９１２２は、デジタルカメラ１０１とレンズユニット２９３００との間で制御信号、状態信号、データ信号等を伝え合うと共に、各種電圧の電流を供給する機能も備えている。また、コネクタ２９１２２は電気通信のみならず、光通信、音声通信等を伝達する構成としても良い。
【００６２】
２９１３０、２９１３２はミラーで、レンズ２９３１０に入射した光線を、一眼レフ方式によって光学ファインダ２９１０４に導くことが出来る。なお、ミラー２９１３２は、クイックリターンミラーの構成としても、ハーフミラーの構成としても、どちらでも構わない。
【００６３】
２９２００はメモリカードやハードディスク等の記録媒体である。
【００６４】
記録媒体２９２００は、半導体メモリや磁気ディスク等から構成される記録部２９２０２、デジタルカメラ１０１とのインターフェース２９２０４、デジタルカメラ１０１と接続を行うコネクタ２９２０６を備えている。
【００６５】
２９２１０はメモリカードやハードディスク等の記録媒体である。
【００６６】
記録媒体２９２１０は、半導体メモリや磁気ディスク等から構成される記録部２９２１２、画像処理装置２９１００とのインターフェース２９２１４、デジタルカメラ２９１００と接続を行うコネクタ２９２１６を備えている。
【００６７】
２９３００は交換レンズタイプのレンズユニットである。
【００６８】
２９３０６は、レンズユニット２９３００をデジタルカメラ２９１００と機械的に結合するレンズマウントである。レンズマウント２９３０６内には、レンズユニット２９３００をデジタルカメラ１０１と電気的に接続する各種機能が含まれている。
【００６９】
２９３１０はレンズ、２９３１２は絞りである。
【００７０】
２９３２０は、レンズマウント２９３０６内において、レンズユニット２９３００をデジタルカメラ１０１と接続するためのインターフェース、２９３２２はレンズユニット２９３００をデジタルカメラ１０１と電気的に接続するコネクタである。
【００７１】
コネクタ２９３２２は、デジタルカメラ１０１とレンズユニット２９３００との間で制御信号、状態信号、データ信号等を伝え合うと共に、各種電圧の電流を供給される或いは供給する機能も備えている。また、コネクタ２９３２２は電気通信のみならず、光通信、音声通信等を伝達する構成としても良い。
【００７２】
２９３４０は測光手段２９０４６からの測光情報に基づいて、メカシャッター２９０１２を制御するシャッター制御手段４０と連携しながら、絞り２９３１２を制御する絞り制御手段である。
【００７３】
２９３４２はレンズ２９３１０のフォーカシングを制御する測距制御手段、２９３４４はレンズ２９３１０のズーミングを制御するズーム制御手段である。
【００７４】
２９３５０はレンズユニット２９３００全体を制御するレンズシステム制御部である。レンズシステム制御部２９３５０は、動作用の定数、変数、プログラム等を記憶するメモリやレンズユニット２９３００固有の番号等の識別情報、管理情報、開放絞り値や最小絞り値、焦点距離等の機能情報、現在や過去の各設定値などを保持する不揮発メモリの機能も備えている。
【００７５】
２９６００はＲＯＭであり、電気的に消去・記録可能な不揮発性メモリでありカメラの電源がOFF状態にあっても、その記憶内容が保持される。特にカメラ動作を制御するプログラムを格納したり、撮影モードや撮影情報および諸々のパラメータを記憶するために用いられる。
【００７６】
２９６０１は、画像表示部２９０２８がデータ表示時、ＲＡＭ２９０３０上に用意された表示用データを画像表示部２９０２８にＤＭＡ転送を行うＤＭＡコントローラ１である。このＤＭＡ転送により転送されたデータが画像表示部に表示される。
【００７７】
２９６０２は、画像表示部２９０２８がデータ非表示中であり、ＰＣ１０２からのデータ転送要求を受信した場合には、デジタル部システム制御部２９０５１はこのＤＭＡコントローラ２ ２９６０２の設定を行い、ＲＡＭ２９０３０と通信部２９１１０との間でＤＭＡ転送を行う（高速転送モード）ＤＭＡコントローラ２である。
【００７８】
次に一眼レフデジタルスチルカメラの動作に関して図２を用いて詳細を説明する。
【００７９】
一眼レフタイプのデジタルスチルカメラを使用するために電源スイッチ２９０７２をＯＮする（Ｓ２０１）。シャッタースイッチ（ＳＷ１）２９０６２がＯＮされたならば（Ｓ２０２）、レンズ２９３１０と通信し、レンズのＦ値を取得する（Ｓ２０３）。Ｆ値がＦ８．０より小さかったならば（Ｓ２０４）、一眼レフデジタルスチルカメラ本体はレンズに設定されたフォーカスモードをレンズと通信し取得し、オートフォーカスモードに設定されていたならば（Ｓ２０５）、測距部２９０４２は測距を行い、オートフォーカスで撮影する（Ｓ２０６）。マニュアルフォーカスモードに設定されていたならばマニュアルフォーカスで撮影する（Ｓ２０７）。Ｆ値が８．０以上であったならば、一眼レフデジタルスチルカメラ本体はレンズに設定されたフォーカスモードをレンズと通信し取得し、オートフォーカスモードに設定されていたならば（Ｓ２０８）、デジタル部システム制御部２９０５１と通信し、画像表示部２９０２８に「オートフォーカスを行いたい場合にはライブビューを起動してください」と表示させる（Ｓ２０９）。ユーザーはオートフォーカスを行いたい場合には（Ｓ２１０）、操作部２９０７０にあるＳＥＴボタン（不図示）を押し、ライブビューを開始、画像処理部２９０２０により撮像面オートフォーカスを開始する（Ｓ２１１）。オートフォーカスを行いたくない場合にはレンズ２９３１０の設定をマニュアルフォーカスモードに設定しマニュアルフォーカスで撮影する（Ｓ２１２）。
【図面の簡単な説明】
【００８０】
【図１】本実施例に係る一眼レフタイプのデジタルスチルカメラの構成を示す図
【図２】本実施例に係る一眼レフデジタルスチルカメラの動作フローを示す図
【図１】
2009300963.tif 000003
【図２】
2009300963.tif 000004